(57)【要約】【課題】  バイブレータを保持部材に保持させる時の組立ばらつきを軽減し、接触信頼性を向上するバイブレータ保持装置を提供する。【解決手段】  通信端末装置などの電子機器本体を振動させるバイブレータの保持部材を備え、上記バイブレータを上記保持部材に保持させるとこのバイブレータの端子が回路基板の接点部に接触するように構成するとともに、上記保持部材を上記回路基板に固着することを特徴とするもので、組立ばらつきが軽減するとともに、接触信頼性が向上する。【選択図】図１
2006130474.tif 000002
【特許請求の範囲】
【請求項１】
通信端末装置などの電子機器本体を振動させるバイブレータの保持部材を備え、上記バイブレータを上記保持部材に保持させると上記バイブレータの端子が回路基板の接点部に接触するように構成するとともに、上記保持部材を上記回路基板に固着することを特徴とするバイブレータ保持装置。
【請求項２】
バイブレータに設けた第１の係止部と、保持部材に設けた第２の係止部を係合させることにより、上記バイブレータを上記保持部材に保持することを特徴とする請求項１に記載のバイブレータ保持装置。
【請求項３】
緩衝材からなるカバー部材を備え、バイブレータを上記カバー部材で覆って保持部材に保持することを特徴とする請求項１または請求項２に記載のバイブレータ保持装置。
【請求項４】
カバー部材を、電子機器本体が有する外装筐体に圧接するように設けるとともに、上記カバー部材の上記外装筐体との間に突起部を形成することを特徴とする請求項３に記載のバイブレータ保持装置。
【請求項５】
カバー部材の一部を、上記バイブレータと回路基板との間に介在させることを特徴とする請求項３または請求項４に記載のバイブレータ保持装置。
【請求項６】
通信端末装置などの電子機器において、上記電子機器本体を振動させるバイブレータと、上記バイブレータを保持する保持部材と、上記バイブレータを上記保持部材に保持させるとこのバイブレータの端子が接触する接点部を有する回路基板とを備え、上記保持部材を上記回路基板に固着することを特徴とする電子機器。
【請求項７】
バイブレータに設けた第１の係止部と、保持部材に設けた第２の係止部を係合させることにより、上記バイブレータを上記保持部材に保持することを特徴とする請求項６に記載の電子機器。
【請求項８】
緩衝材からなるカバー部材を備え、バイブレータを上記カバー部材で覆って保持部材に保持することを特徴とする請求項６または請求項７に記載の電子機器。
【請求項９】
カバー部材を電子機器本体が有する外装筐体に圧接するように設けるとともに、上記カバー部材の上記外装筐体との間に突起部を設けることを特徴とする請求項８に記載の電子機器。
【請求項１０】
カバー部材の一部をバイブレータと回路基板との間に介在させることを特徴とする請求項８または請求項９に記載の電子機器。
【発明の詳細な説明】
【技術分野】
【０００１】
この発明は、ページャや携帯電話機で代表される通信端末装置などの電子機器において、その本体を振動させるバイブレータを取り付けるためのバイブレータ保持装置及びそのバイブレータ保持装置を搭載した電子機器に関するものである。
【背景技術】
【０００２】
ページャや携帯電話機で代表される通信端末装置などの電子機器には、使用者に着信を知らせるためにバイブレータを取り付けて電子機器本体を振動させることが一般に行われている。このバイブレータは、モータの駆動軸に偏心体を取り付け、駆動軸で偏心体を回転させることにより生じる振動を電子機器本体に伝えるものである。
【０００３】
ところで、従来の通信端末装置などの電子機器におけるバイブレータ保持装置においては、バイブレータ取り付け台と一体的に形成された保持部に緩衝材で覆われたバイブレータを圧入して嵌合することによりバイブレータを保持し、さらに、バイブレータに突設された板ばね状端子をプリント基板に取り付けたシールドケースの貫通穴を通すことにより、プリント基板の接点部に当接させて接触導通させる構成が採用されている。すなわち、バイブレータ取り付け台は、バイブレータを保持するために、回路基板上にもともと必要であったシールド部材を利用してその上部にバイブレータの保持部を設ける構成が採用され、この構成の採用により、組立及び分解時の作業性が良好で、かつ、必要な配置スペースを小さくして、装置の小型化を可能としている。（例えば、特許文献１参照）
【０００４】
【特許文献１】特開２００１-２９８８７号公報（第５欄１３行−２６行、図１）
【発明の開示】
【発明が解決しようとする課題】
【０００５】
従来のバイブレータ保持装置は上記のように、バイブレータを取り付け台と一体的に形成された保持部に対し、バイブレータを覆う緩衝材をたわませながら圧入して嵌合するため、組立のばらつきによって緩衝材が均一にたわまず、バイブレータが取り付け台に対し傾いて保持されるという問題点があった。
【０００６】
更にその問題点によって、バイブレータに突設された板ばね状端子を回路基板に接触させるのに必要な接触圧力を確保できなくなるため、接触信頼性を確保するのが困難であった。また、バイブレータが傾いて保持されると、バイブレータの分銅部と外装筐体とのクリアランスが狭くなることになる。このため、バイブレータの傾きが大きくなるとバイブレータの分銅部が外装筐体に接触し、異音が発生する問題点があった。
【０００７】
この発明は上記のような問題点を解消するためになされたもので、第1の目的は、バイブレータを保持部材に保持させる時の組立ばらつきを軽減し、接触信頼性を向上するバイブレータ保持装置及びそのバイブレータ保持装置を搭載した電子機器を得るものである。
【０００８】
また、第２の目的は、バイブレータを覆う緩衝材により外装筐体に振動を伝え易くするバイブレータ保持装置及びそのバイブレータ保持装置を搭載した電子機器を得るものである。
【０００９】
さらに、第３の目的は、回路基板の実装部品に対する衝撃を軽減できるバイブレータ保持装置及びそのバイブレータ保持装置を搭載した電子機器を得るものである。
【課題を解決するための手段】
【００１０】
この発明にかかるバイブレータ保持装置は、通信端末装置などの電子機器本体を振動させるバイブレータの保持部材を備え、上記バイブレータを上記保持部材に保持させると上記バイブレータの端子が回路基板の接点部に接触するように構成するとともに、上記保持部材を上記回路基板に固着することを特徴とするものである。
【００１１】
また、この発明にかかる電子機器は、上記電子機器本体を振動させるバイブレータと、上記バイブレータを保持する保持部材と、上記バイブレータを上記保持部材に保持させると上記バイブレータの端子が接触する接点部を有する回路基板とを備え、上記保持部材を上記回路基板に固着するものである。
【発明の効果】
【００１２】
この発明によれば、バイブレータを保持する保持部材を、回路基板に対して固着したので、バイブレータの端子と回路基板の接点部との接触位置のばらつきを軽減し、接触信頼性が向上する効果がある。
【発明を実施するための最良の形態】
【００１３】
以下、この発明の各実施の形態において、通信端末装置などの電子機器として携帯電話機を例に挙げて図示説明するが、この発明はこれに限定されることなく、その他の通信端末装置などの電子機器にも適用できることは勿論である。
【００１４】
実施の形態１．
以下、図面を参照してこの発明の実施の形態を説明する。図１はこの発明の実施の形態１に係るバイブレータ保持装置を搭載したこの発明の実施の形態を示す携帯電話機の主要部分解斜視図、図２は図１に示した携帯電話機の部分断面図である。
【００１５】
携帯電話機は、図１に示すように外装筐体１を振動させるバイブレータ２をばね力で挟持することにより保持する保持部材３を備えている。また、バイブレータ２は、バイブレータ本体４のケース５と、ケース５と例えば一体成形、あるいは別体成形された後にケース５に一端部が半田付けなどで固着され、他端部が突設される板ばね状端子６とを有している。一方、保持部材３が固着される回路基板７は、保持部材３が実装される半田付け部８とバイブレータ２の板ばね状端子６が圧接する接点部９を有している。バイブレータ２は緩衝材からなるカバー部材１０により、図２においてその上面と側面及び底面の一部が覆われるように保持され、板ばね状端子６はカバー部材１０の底面部から突出し、回路基板７の接点部９に圧接するように構成されている。なお、カバー部材１０には、図１あるいは図２における上面部に中空穴１１が形成されているが、これは必ずしも必要ではない。
【００１６】
図２に示すように、バイブレータ２を保持するための保持部材３は、半田付けにて回路基板７に設けられた半田付け部８に実装される。なお、この保持部材３は回路基板７に自動実装機によって実装され、リフロー炉を通して半田付けされる。バイブレータ２を保持部材３に保持させると、バイブレータ本体４のケース５に突設されている板ばね状端子６と回路基板７上の接点部９とが圧接することにより導通する。これによって回路基板７上に設けられた駆動回路からの駆動電力が接点部９、および板ばね状端子６を経由してバイブレータ２に供給されてバイブレータ２は振動し、その振動が回路基板７を経由して外装筐体１に伝わり携帯電話機本体が振動する。
【００１７】
従来のバイブレータ保持装置では、保持部材を回路基板に取り付ける時、つめ嵌合などにより取り付けていたため、取り付け部にがたつきが生じ易く、バイブレータと回路基板とのクリアランスにばらつきが発生し易かったが、この実施の形態によれば、保持部材３と回路基板７とが半田付けによって固着されているため、固着部にがたつきが発生しない。そのため、バイブレータ２と回路基板７とのクリアランスに対するばらつきを軽減でき、バイブレータ本体４のケース５に突設されている板ばね状端子６と回路基板７上の接点部９との接触信頼性を向上させることができる。
【００１８】
実施の形態２．
次に、この発明の他の実施の形態について説明する。図３はこの発明の実施の形態２に係るバイブレータ保持装置を搭載したこの発明の実施の形態を示す携帯電話機の主要部分解斜視図、図４は図３に示した携帯電話機の部分断面図である。
【００１９】
図３に示すように、この実施の形態２に係るバイブレータ保持装置を搭載した携帯電話機は、バイブレータ本体４のケース５に第１の係止部である係止爪３０が形成されるとともに、保持部材３に第２の係止部である係止穴３１が形成されている。そして、図４から理解されるように、ケース５の係止爪３０と保持部材３の係止穴３１が互いに係合するように構成されている。また、カバー部材３２の側面部には、切欠部３３が形成されており、この切欠部３３内に保持部材３の係止穴３１に係合したケース５の係止爪３０が納まるように構成されている。なお、その他の構成については、実施の形態１と同様であり、同一符号を付すことによりその説明を省略する。
【００２０】
この実施の形態２によれば、バイブレータ本体４のケース５に設けられている係止爪３０が保持部材３に設けられている係止穴３１に係合することによって、バイブレータ２が保持部材３に固定される。この係合構造により、バイブレータ本体４のケース５に固定されている板ばね状端子６を回路基板７上の接点部９に対し確実に接触させるために必要な接触圧力を確保するとともに、その接触圧力によってバイブレータ本体４のケース５が受ける反力で保持部材３からバイブレータ２が持ち上げられるのを防止できる。
【００２１】
従来のバイブレータ保持装置では、バイブレータを覆う緩衝材を保持部に対して圧入することによって嵌合しているため、組立ばらつきによりバイブレータが傾いて取り付けられると、バイブレータに突設された板ばね状端子を回路基板に接触させるのに必要な接触圧力を確保できなくなって、接触信頼性を確保するのが困難であったが、この実施の形態では、バイブレータ本体４のケース５に設けられている係止爪３０と保持部材３の係止穴３１とが係合することにより、板ばね状端子６の圧接方向に対するクリアランスのばらつきが軽減し、接触信頼性がさらに向上する。
【００２２】
なお、上記実施の形態２では、バイブレータ本体４のケース５に設けられている係止爪３０と保持部材３に設けられている係止穴３１が互いに係合する構成のものを示したが、バイブレータ本体４のケース５に係止穴もしくは凹部を設け、保持部材３に係止爪もしくは凸部を設けてもよい。
【００２３】
また、従来のバイブレータ保持装置では、バイブレータが傾くとバイブレータと外装筐体とのクリアランスが狭くなるため、バイブレータの傾きが大きくなるとバイブレータの分銅部が外装筐体に接触し、異音が発生する問題点があったが、この実施の形態では、係止爪３０と係止穴３１の係合により、保持部材３に対するバイブレータ２の浮き、あるいは傾きを防止でき、外装筐体１とバイブレータ２とのクリアランスのばらつきが軽減できる。そのため外装筐体１に接触して異音が発生することもなくなり品質が安定する。
【００２４】
実施の形態３．
次に、この発明の更に他の実施形態について説明する。図５はこの発明の実施の形態３に係るバイブレータ保持装置を搭載したこの発明の実施の形態を示す携帯電話機の主要部分解斜視図、図６は図５に示した携帯電話機の部分断面図である。
【００２５】
図５あるいは図６に示すように、この実施の形態３に係るバイブレータ保持装置を搭載した携帯電話機は、バイブレータ２の周囲を覆う緩衝材からなるカバー部材５０を備え、そのカバー部材５０の側面部に振動防止用のリブ５１が形成され、さらに、外装筐体１に接する側の面に例えば糸リブ状の突起部５２が形成されている。また、カバー部材５０は、バイブレータ本体４のケース５と保持部材３との間に、その一部が介在するように構成されている。即ち、バイブレータ２の回路基板７に接する側の面にも、その一部が延在する構成のカバー部材５０が用いられている。また、バイブレータ２を押圧挟持する保持部材３のばね力は実施の形態１あるいは実施の形態２に比較し、弱く設定されている。なお、その他の構成については、実施の形態１と同様であり、同一符号を付すことによりその説明を省略する。
【００２６】
この実施の形態によるバイブレータの保持装置は、バイブレータ２を押圧挟持する保持部材３のばね力が弱く設定されているので、バイブレータ２の周囲を覆う緩衝材からなるカバー部材５０が保持部材３に対して、圧入することなくバイブレータ２が保持され、振動防止用のリブ５１によりがたつくことなく保持部材３に保持される。
【００２７】
上記のように、この実施の形態によれば、カバー部材５０の外装筐体１に接する側の面には、例えば糸リブ状の突起部５２を設けて、外装筐体１に圧接するように構成することにより、バイブレータ２から発生する振動を携帯電話機本体に伝え易くする。さらに、カバー部材５０の回路基板７に接する側の面を回路基板７と直接当たるように構成し、回路基板７に実装されている電気部品に対して振動を軽減させる。
【００２８】
それにより、従来のバイブレータ保持装置では、バイブレータ全周に覆われた緩衝材を、箱状に囲われた保持部材に圧入してバイブレータを保持するため、緩衝材が均一にたわまず、組立ばらつきにより、バイブレータが傾いて保持され、振動によってバイブレータが直接外装筐体に接触することによって異音が発生する問題点があったが、この実施の形態によれば、バイブレータ全周に覆われた緩衝材からなるキャップ部材５０を保持部材３に対して、圧入せずに保持させるため、バイブレータ２を保持する際に傾いて保持されにくく、従来のような問題点を改善でき、品質がさらに安定する。
【００２９】
また、カバー部材５０に例えば糸リブ状の突起部５２を設けて、外装筐体１に圧接することにより、バイブレータ２から発生する振動を装置本体に伝え易くし、また、緩衝材で構成されるカバー部材５０を回路基板７と直接当たるように構成することにより、回路基板７に実装されている電気部品に対して振動を軽減させる機能を持たせることにより、着信時、振動によって電子機器本体を震わせるバイブレータ本来の機能も果たすことができる。
【００３０】
上記各実施の形態におけるバイブレータについては、コイン型の平型タイプのバイブレータを実装した構成例について図示説明したが、円筒型の分銅タイプのバイブレータを用いても良いことは勿論である。また、上記各実施の形態においては、保持部材３と回路基板７との固着を半田付けにて行う場合について図示説明したが、ロー付け、あるいはレーザ等の溶接技術を用いて固着してもよく、この発明は諸種の設計的変更をも包含するものである。
【産業上の利用可能性】
【００３１】
以上のようにこの発明は、例えば、ページャや携帯電話機などの小型の通信端末装置で、使用者に着信を知らせるためにバイブレータを取り付けて振動させる機能を持つ電気機器に利用できる。
【図面の簡単な説明】
【００３２】
【図１】この発明の実施の形態１に係るバイブレータ保持装置を搭載したこの発明の実施の形態を示す携帯電話機の主要部分解斜視図である。
【図２】図１に示したバイブレータ保持装置を搭載した携帯電話機の部分断面図である。
【図３】この発明の実施の形態２に係るバイブレータ保持装置を搭載したこの発明の実施の形態を示す携帯電話機の主要部分解斜視図である。
【図４】図３に示したバイブレータ保持装置を搭載した携帯電話機の部分断面図である。
【図５】この発明の実施の形態３に係るバイブレータ保持装置を搭載したこの発明の実施の形態を示す携帯電話機の主要部分解斜視図である。
【図６】図５に示したバイブレータ保持装置を搭載した携帯電話機の部分断面図である。
【符号の説明】
【００３３】
１  外装筐体
２  バイブレータ
３  保持部材
６  板ばね状端子
７  回路基板
８  半田付け部
９  接点部
１０、３２、５０  カバー部材
３０  係止爪
３１  係止穴
５２  糸リブ状突起部
【図１】
2006130474.tif 000003
【図２】
2006130474.tif 000004
【図３】
2006130474.tif 000005
【図４】
2006130474.tif 000006
【図５】
2006130474.tif 000007
【図６】
2006130474.tif 000008